(57)【要約】【課題】簡単な構成で、一度に複数の検温対象者の検温を実現可能な体温測定装置を提供する。【解決手段】体温計２,３,４,５と、体温計２,３,４,５からの体温情報を収集する端末６とを備えた体温測定装置１であって、体温計２,３,４,５及び端末６に、体温計２,３,４,５と端末６との間でブルートゥース通信ＢＴを行う通信装置たるブルートゥース通信装置８,１２を備えたことにより、簡単な構成で複数の検温対象者から一斉に体温情報を収集することができる。また、体温計２,３,４,５と端末６をブルートゥース通信ＢＴにより接続したことにより、この体温計２,３,４,５と端末６との間の通信電力の消費を抑えた体温測定を行うことができる。【選択図】図１
2010019696.tif 000002
【特許請求の範囲】
【請求項１】
一又は複数の体温計と、所定情報を収集する端末とを備えた体温測定装置であって、前記体温計及び前記端末に、前記体温計と前記端末との間でブルートゥース通信を行う通信装置を備えたことを特徴とする体温測定装置。
【発明の詳細な説明】
【技術分野】
【０００１】
本発明は、特に人体の温度を測定する体温測定装置に関する。
【背景技術】
【０００２】
従来検温は、看護士が各検温対象者を訪問し、検温対象者一人ずつに体温計（特許文献１参照）で体温を測定し、体温を書き留めていた。
【特許文献１】特開２００１−３４０３０２号公報
【発明の開示】
【発明が解決しようとする課題】
【０００３】
従来の検診方法では、看護士が一人ずつ検温する為、検温作業に時間が掛かってしまう問題があった。
【０００４】
そこで、本発明は上記問題点を解決して、簡単な構成で、一度に複数の検温対象者の検温を実現可能な体温測定装置を提供することを目的とする。
【課題を解決するための手段】
【０００５】
請求項１の発明では、一又は複数の体温計と、所定情報を収集する端末とを備えた体温測定装置であって、前記体温計及び前記端末に、前記体温計と前記端末との間でブルートゥース通信を行う通信装置を備えたことを特徴とする体温測定装置。
【発明の効果】
【０００６】
請求項１の発明によれば、簡単な構成で複数の検温対象者から一斉に体温情報を収集することができる。また、体温計と端末をブルートゥース通信により接続したことにより、体温計と端末との間の通信電力の消費を抑えた体温測定を行うことができる。
【発明を実施するための最良の形態】
【０００７】
以下、本発明における体温測定装置１の好ましい実施例について、添付図面を参照して説明する。図１は本発明の一実施例の概略を示すものであり、１は体温測定装置である。体温測定装置１は、複数の体温計２,３,４,５と、端末６から構成されている。
【０００８】
図２は体温計２,３,４,５の構成を示すブロック図である。体温計２,３,４,５は、体温計本体として温度センサ（図示せず）を備えた体温検出装置７と、ブルートゥース通信装置８と、体温検出装置７及びブルートゥース通信装置８に電力を供給する電源９を備えている。体温検出装置７の一例としては、温度センサとして鼓膜、舌下あるいは体表面からの赤外線を検知可能な赤外線センサを備え、生体の温度を非接触で測定する電子体温計を用いることが好ましいが、特に限定されるものではない。
【０００９】
図３は端末６の構成を示すブロック図である。端末６は、制御手段１０、ブルートゥース通信装置１１、記憶手段１２、表示手段１３、操作手段１４、電源（図示せず）等を備えている。ここで端末６としてＰＤＡ（携帯情報端末：Personal  Digital  Assistant）、携帯電話、パーソナルコンピュータ（ＰＣ）等を用いることが好ましいが、特に限定されるものではない。
【００１０】
体温計２,３,４,５及び端末６のそれぞれに備えたブルートゥース通信装置８,１１により、体温計２,３,４,５と端末６との間でブルートゥースの規格に基づいた無線通信（ブルートゥース通信）を行うためのブルートゥース通信ＢＴが構成される。
【００１１】
ここで、ブルートゥース（Bluetooth）とは、近距離無線通信用規格の１つであり、ＩＳＭ（Industrial  Scientific  and  Medical）帯といわれる２．４ＧＨｚの周波数帯を利用した周波数ホッピング型のスペクトラム拡散通信方式を採用し、通信端末や携帯電話等の各種電子機器同士を近距離間で無線接続するものである。
【００１２】
またブルートゥース通信ＢＴでは、図１に示すように端末６及び複数の体温計２,３,４,５による、一（端末６）対多数（各体温計２,３,４,５）の機器群の構成において、端末６と各体温計２,３,４,５による複数組の電子機器が無線通信を行っていても、正規の相手との間でのみデータが授受されるように、アドレスや暗号鍵などを登録し合う等のペアリングを行う。
【００１３】
本実施例のペアリングでは、各体温計２,３,４,５のブルートゥース通信装置８に対して個別に割付けられたシリアル番号を検温対象者である患者（Ａ,Ｂ,Ｃ,Ｄ）の識別情報として割り当て、ブルートゥース通信ＢＴ先の端末６に、このシリアル番号を「シリアル番号○○（○○には文字、数字または記号）＝患者××（××には患者の氏名又は名称（例えばＡ,Ｂ,Ｃ,Ｄ）、あるいは文字、数字または記号）」と入力して設定登録を行うものである。各体温計２,３,４,５と端末６とのペアリングを完了させることにより、各体温計２,３,４,５から端末６に送信された体温情報を端末６側の表示手段１３において、各体温計２,３,４,５に対応した患者の識別情報を伴った情報として表示変換を行うことを可能としている（図４参照）。ここでは患者（Ａ,Ｂ,Ｃ,Ｄ）の識別情報を伴った体温情報として、患者の氏名（例えば、Ａさん）と患者Ａの体温情報（例えば、○○.○℃）を併せて表示している。このように各体温計２,３,４,５の識別情報に基づき、端末６による各体温計２,３,４,５の特定を可能としたことで、端末６と複数の体温計２,３,４,５との間でのブルートゥース通信ＢＴを確立させている。
【００１４】
以上の構成について作用を説明すると、先ずは図１に示すように病室一部屋に４人の患者（Ａ,Ｂ,Ｃ,Ｄ）がいる場合に、本実施例の各体温計２,３,４,５を４人の患者に装着する。ここで、各体温計２,３,４,５は予め上記のペアリングが完了しており、この場合端末６に対して「シリアル番号○○（○○には文字、数字または記号）＝患者××（例えば××には、患者名としてＡ,Ｂ,Ｃ,Ｄと入力）」と設定登録が行われている。
【００１５】
各患者（Ａ,Ｂ,Ｃ,Ｄ）の体温情報の管理者である看護士が、端末６の操作手段１４を操作して端末６の表示手段１３に表示された検温アイコン（図示せず）を選択すると、端末６の記憶手段１２に予め記憶されたプログラムの中から選択された各体温計２,３,４,５に検温を要求するコマンドが、端末６から端末６側のブルートゥース通信装置１１を介して各体温計２,３,４,５へと送信される。各体温計２,３,４,５側のブルートゥース通信装置８を介して検温を要求するコマンドを受信した各体温計２,３,４,５では、患者各人（Ａ,Ｂ,Ｃ,Ｄ）の検温が一斉に開始される。検温が終了すると、体温検出装置７により検出された患者各人（Ａ,Ｂ,Ｃ,Ｄ）の体温情報は、患者各人（Ａ,Ｂ,Ｃ,Ｄ）の体温計２,３,４,５から、体温計２,３,４,５側のブルートゥース通信装置８を介して一斉に端末６へと送信される。端末６側のブルートゥース通信装置１１を介して端末６の制御手段１０に入力された各体温計２,３,４,５からの体温情報は、表示手段１３により患者各人（Ａ,Ｂ,Ｃ,Ｄ）の識別情報を伴った体温情報として表示され（図４参照）、或いは記憶手段１２に患者各人（Ａ,Ｂ,Ｃ,Ｄ）ごとの体温情報として記憶される。ここで、図４に示すように、表示手段１３における患者各人（Ａ,Ｂ,Ｃ,Ｄ）の体温情報を一覧で表示してもよい。この場合、患者各人（Ａ,Ｂ,Ｃ,Ｄ）の体温情報を一覧で表示することにより、患者各人（Ａ,Ｂ,Ｃ,Ｄ）の体温情報の比較が行い易い。
【００１６】
このように端末６からの制御により、各体温計２,３,４,５に一斉に検温を行わせ、検温後の体温情報のデータを一斉に端末６へ送信させて体温情報の収集を行うことで、短時間で効率よく体温情報を収集することができるとともに、収集した患者各人（Ａ,Ｂ,Ｃ,Ｄ）の体温情報は自動的に管理者である看護士の端末６に記憶されるので、体温情報のデータ管理を容易に行うことができる。
【００１７】
また、患者各人（Ａ,Ｂ,Ｃ,Ｄ）の体温情報を、記憶手段１２に対して患者各人（Ａ,Ｂ,Ｃ,Ｄ）ごとに個別に記憶させることにより、患者各人（Ａ,Ｂ,Ｃ,Ｄ）の体温情報の管理を容易に行うことができる。
【００１８】
さらに、各体温計２,３,４,５から直接端末６に体温情報のデータが送信されるので、他の記憶媒体を介して各体温計２,３,４,５から端末６に体温情報を記憶させる場合と比べ、データを記憶するなどの時間を短縮させることが可能となり、検温作業に掛かる時間も短縮され、検温作業の効率化を図ることが出来る。
【００１９】
また、体温計２,３,４,５から体温情報を紙等の記憶媒体に書き込んだり、記憶媒体に書き込まれた体温情報を端末６で読み込んだりする手間を省くことができる。また検温に関して、記憶媒体自体を用意する必要もなくなる。
【００２０】
以上のように本実施例では、請求項１に対応しており、一又は複数の体温計２,３,４,５と、体温計２,３,４,５からの体温情報を収集する端末６とを備えた体温測定装置１であって、体温計２,３,４,５及び端末６に、体温計２,３,４,５と端末６との間でブルートゥース通信ＢＴを行う通信装置たるブルートゥース通信装置８,１１を備えている。
【００２１】
この場合、簡単な構成で複数の検温対象者である患者各人（Ａ,Ｂ,Ｃ,Ｄ）から一斉に体温情報を収集することができる。また、体温計２,３,４,５と端末６をブルートゥース通信ＢＴにより接続したことにより、この体温計２,３,４,５と端末６との間の通信電力の消費を抑えた体温測定を行うことができる。
【００２２】
なお、本発明は、上記実施例に限定されるものではなく、本発明の趣旨を逸脱しない範囲で変更可能である。体温計２,３,４,５及び端末６の基本的構造は適宜選定すればよい。また、端末６を外部のネットワークに接続可能な構成とすることで、この端末６を介して遠方の医療福祉施設に体温計２,３,４,５より収集される患者各人（Ａ,Ｂ,Ｃ,Ｄ）の体温情報を通信可能にするので、病院内の検温システムだけでなく、遠隔医療における検温にも応用が可能である。また、各体温計２,３,４,５および端末６に備えられたブルートゥース通信装置８,１１は、端末６及び各体温計２,３,４,５に内蔵又は外付けで備えたものでもよい。さらに、上記実施例では端末６に対する体温計の数を４つとしていたが、体温計の数は適宜変更可能である。
【図面の簡単な説明】
【００２３】
【図１】本発明の一実施例における体温測定装置の概略図である。
【図２】同上、体温計の構成を示すブロック図である。
【図３】同上、端末の構成を示すブロック図である。
【図４】同上、体温情報が表示された状態を示す端末の概略図である。
【符号の説明】
【００２４】
１  体温測定装置
２,３,４,５  体温計
６  端末
８,１１  ブルートゥース通信装置（通信装置）
ＢＴ  ブルートゥース通信
【図１】
2010019696.tif 000003
【図２】
2010019696.tif 000004
【図３】
2010019696.tif 000005
【図４】
2010019696.tif 000006